(57)【要約】【目的】不良率と製造コストを下げるコンピュータ用キーボード碗形弾性プラスチック体の固定装置を提供する。【構成】定位薄板を薄膜スイッチ回路板上に設けて、その定位薄板７には薄膜スイッチ回路板の各薄膜スイッチの位置に対応して、それぞれに設置孔７１が設けられる。設置孔７１の辺縁には上向きに突出した囲壁７２が設けられ、各設置孔７２には碗形弾性プラスチック体が設置され、囲壁７２が碗形弾性プラスチック体を捉えてその位置に固定する。定位薄板７の設置孔７１の囲壁７２の切り欠きには、孔内に向かって突出した突板７４が設けられている。【選択図】　　図１０
0003099586.tif 000002
【実用新案登録請求の範囲】
【請求項１】
コンピュータ用キーボードが少なくとも、金属板ベースと、薄膜スイッチ回路板と、数個の平衡機構と、数個のキーハットと、数個の碗形弾性プラスチック体とを備え、
前記金属板ベースは、数個の下枢座及び／或いは下部活動溝が上に伸びて設けられ、
前記薄膜スイッチ回路板は、前記ベース上に設置されて、数個の薄膜スイッチ及び接続回路が設けられ、
数個の平衡機構は、一般にＸ形の平衡機構であり、そこに下部枢軸及び／或いは下部活動軸、および上部枢軸及び／或いは上部活動軸が設けられて、前記それら下部枢軸及び／或いは下部活動軸をそれぞれ前記ベースの下枢座及び／或いは下部活動溝に固定し、
数個のキーハットは、その底面に上部枢座及び／或いは上部活動溝が設けられ、それぞれを前記平衡機構の上部枢軸及び／或いは上部活動軸に固定し、
数個の碗形弾性プラスチック体は、前記キーハットと前記薄膜スイッチ回路板との間に挟んで設けられ、その内面に中心柱が設けられている碗形弾性プラスチック体の固定装置において、
定位薄板は前記薄膜スイッチ回路板上に設置されて、前記薄膜スイッチ回路板の各前記薄膜スイッチに対応した位置で、前記定位薄板にそれぞれ設置孔が設けられ、前記設置孔の辺縁には上向きに突出した囲壁が設けられ、各設置孔には前記碗形弾性プラスチック体が設置されて、前記囲壁が前記碗形弾性プラスチック体を捉えてその位置を固定することを特徴とするコンピュータ用キーボード碗形弾性プラスチック体の固定装置。
【請求項２】
前記囲壁が連続した一体に形成されることを特徴とする請求項１記載のコンピュータ用キーボード碗形弾性プラスチック体の固定装置。
【請求項３】
前記囲壁が不連続であり、少なくとも一つの切り欠きが設けられることを特徴とする請求項１記載のコンピュータ用キーボード碗形弾性プラスチック体の固定装置。
【請求項４】
前記囲壁の切り欠きに、孔内に向かって突伸した突板が設けられることを特徴とする請求項３記載のコンピュータ用キーボード碗形弾性プラスチック体の固定装置。
【請求項５】
前記囲壁頂部は、内向きに突設された少なくとも一つの突出部を有することを特徴とする請求項１記載のコンピュータ用キーボード碗形弾性プラスチック体の固定装置。
【考案の詳細な説明】
【０００１】
【考案の属する技術分野】
本考案は、各碗形弾性プラスチック体をそれぞれ独立に保持した状況下で簡単且つスピーディーに固定することができ、碗形弾性プラスチック体の組立および交換が極めて簡便であり、製造コストを大幅に削減して製品の歩留まり率を効果的に高めることができるコンピュータ用キーボードの碗形弾性プラスチック体の固定装置に関する。
【０００２】
【従来の技術】
キーボードはコンピュータ設備の入力装置中の一入力装置であり、指の押圧操作によりデータを入力する。
【０００３】
図１４は一般のノートブック型コンピュータ用キーボードを示す斜視図である。図１５は図１４のコンピュータ用キーボード中の一キイを示す分解図であり、それは従来の碗形弾性プラスチック体集合板の構造を示している。図１６は図１５のキイの半組立図である。図１７は図１５のキイの組立完成図である。図１８はコンピュータ用キーボードの従来の碗形弾性プラスチック体集合板の斜視図である。図１９は図１８の従来の碗形弾性プラスチック集合板の一実施例を示す部分断面図である。図２０は図１８の従来の碗形弾性プラスチック集合板のもう一つの実施例を示す部分断面図である。
【０００４】
それらの図が示すように、一般のノートブック型コンピュータのキーボードにはベース上に押圧操作の数個のキイ構造が設けられ、これらキイボートおよびキイ構造は金属板ベース１、薄膜スイッチ回路板２、数個の平衡機構３、数個のキーハット４、および数個の碗形弾性プラスチック体５を含む。
【０００５】
図１に示すように、金属板ベース１を、キーボードが設けられるプラットフォームとする。金属板ベース１を上に伸ばして数個の下枢座１１および下部活動溝１２を設け、下で述べる平衡機構３を固定するのに使用する。金属板ベース１には下枢座１１だけを設けるか、或いは下部活動溝１２だけを設けてもよく、それらは同様に平衡機構３をベース上に固定することができる。
【０００６】
薄膜スイッチ回路板２をベース１上に設置する。薄膜スイッチ回路板２には数個の薄膜スイッチ２１および接続回路２２を設ける。
【０００７】
平衡機構３は一般にＸ形の平衡機構であり、Ｘ形の４つの端部あるいはその他の適当な部位に下部枢軸３１及び／或いは下部活動軸３２が設けられ、それぞれをベース１の下枢座１１及び／或いは下部活動溝１２に対応させて、互いを固定する。また上部枢軸３３及び／或いは上部活動軸３４を設け、それぞれを次に述べるキーハット４に設けた上部枢座４１及び／或いは上部活動溝４２を互いに対応させて固定する。平衡機構３をキーハット４に組み付け、組み付けの押圧作業の過程において、キーハットの平衡を保持してキーハットを定位させる。
【０００８】
キーハット４の底面には上部枢座４１および上部活動溝４２が設けられ、それらを平衡機構３の上部枢軸３３および上部活動軸３４にそれぞれ固定する。キーハット４には上部枢座４１だけを設けるか、或いは上部活動溝４２だけを設けてもよく、それらは同様にキーハットを平衡機構上に固定することができる。
【０００９】
各碗形弾性プラスチック体５をキーハット４と薄膜スイッチ回路板２との間に挟んで各薄膜スイッチ２１の中心に合わせ、その弾性と碗形形状はキーハット４を押す時に必要となる適当な力と元の位置へ戻す力を提供する。碗形弾性プラスチック体５の内面頂部には中心柱５１が設けられ、キーハット４を押すと中心柱５１が薄膜スイッチ２１を下に押圧して導電させる。
【００１０】
図１８から図２０に示すように、従来技術における碗形弾性プラスチック体５の固定装置は各碗形弾性プラスチック体を平板６上に固定し、碗形弾性プラスチック体５と平板６とを分離することができない碗形弾性プラスチック体集合板Ａに形成する。平板６に数個の定位孔６１を設けて、碗形弾性プラスチック体集合板Ａをキーハット４と薄膜スイッチ回路板２との間に挟むと、定位孔６１が碗形弾性プラスチック体集合板Ａを定位させて、各碗形弾性プラスチック体５を各薄膜スイッチ２１に合わせる。
【００１１】
上述の碗形弾性プラスチック体集合板Ａは製造方法の違いにより２種類の構造を有する。一つは図１５が示すように、平板６を碗形弾性プラスチック体５と同じプラスチック材質により一体成型する方式により、碗形弾性プラスチック体集合板Ａに製造する。
そして、もう一つは図２０が示すように、平板６の材質に碗形弾性プラスチック体５と異なる材質を選択し、例えば薄状平板を選んで使用し、平板の薄膜スイッチ回路板２の各薄膜スイッチ２１に対応した位置にそれぞれ穿孔６２を設けた後、各碗形弾性プラスチック体５の底部５２の辺縁を接着剤６３により平板６の各穿孔孔６２の辺縁に粘着して、上述の碗形弾性プラスチック体集合板Ａを構成する。碗形弾性プラスチック体集合板Ａが上述した中のどの構造であったとしても、その平板６と碗形弾性プラスチック体５は一体に保持されて互いが分離することはない。
【００１２】
上述した碗形弾性プラスチック体集合板Ａの製作過程において、或いは後日キーボードを使用する過程において、碗形弾性プラスチック体５のある部分が不適当な製造あるいは使用損壊により交換しなければならなくなる可能性がある。従来の碗形弾性プラスチック体集合板Ａにおいては各碗形弾性プラスチック体５と平板６が分離できずに不良要素の影響をうけてしまうため、その中の碗形弾性プラスチック体５の不良要素は全体の集合板Ａを使用不能にした。ある碗形弾性プラスチック体５が損壊されると、その損壊した碗形弾性プラスチック体５だけを単独で交換することはできなかったため、碗形弾性プラスチック体集合板Ａ全体を交換する必要があった。そのため、商品全体の不良率は相対的に上昇し、交換に必要な材料と製造コストが無駄になった。
【００１３】
【考案が解決しようとする課題】
したがって、本考案の目的は、上述した従来の碗形弾性プラスチック集合板の不十分な点に対して設計改良をおこない、コンピュータ用キーボード碗形弾性プラスチック体の固定装置を提供することである。
【００１４】
【課題を解決するための手段】
定位薄板は薄膜スイッチ回路板上に設置されて、定位薄板は薄膜スイッチ回路板の各薄膜スイッチの位置に対応して設置孔がそれぞれ設けられる。設置孔の辺縁には上向きに突出した囲壁が設けられ（囲壁は連続的に一体形成してもよいし、或いは不連続にして切り欠きを設けてもよい。）、各設置孔に碗形弾性プラスチック体を設置し、囲壁によりその碗形弾性プラスチック体を押えて位置を固定し、脱落しないようにする。そのため、各碗形弾性プラスチック体を各設置孔に設置すると、各碗形弾性プラスチック体は自然に各薄膜スイッチの中心に合わさる。
【００１５】
【作用】
また、各碗形弾性プラスチック体はそれぞれ独立しているため、互いに不良要素を連帯しなくなる。そのため、ある碗形弾性プラスチックが損壊しても、その損壊した碗形弾性プラスチック体だけを単独で交換するだけでよく、損壊していないその他の正常な碗形弾性プラスチック体集合板全体も一緒に交換する必要はない。そして、大量の材料および製造コストを節約して、効果的に製品の歩留まり率を高めることができる。
【００１６】
また、上述した定位薄板の設置孔の囲壁の切り欠きには、孔内に向かって突出した突板が設けられている。そのため碗形弾性プラスチック体を定位薄板の設置孔に設置すると、碗形弾性プラスチック体の底縁は定位薄板の突板を同時に押えるため、結合の安定性がさらに高まる。
【００１７】
また、定位薄板の設置孔の囲壁頂部は内向きに突設された少なくとも一つの突出部を有し、それら突出部は軟性の碗形弾性プラスチック体を囲壁の内側で囲まれた設置孔へ入れることができるとともに、碗形弾性プラスチック体が設置孔の頂部から脱落することを効果的に防ぎ、組立ての際に碗形弾性プラスチック体が設置孔より脱落することを防ぐ。
【００１８】
【考案の実施の形態】
以下、本考案の構造、特徴及びその機能を図面に基づいてより詳しく説明する。
図１は本考案のコンピュータ用キーボード碗形弾性プラスチック体の固定装置およびその関連部品の分解図である。図２は図１の固定装置の斜視図である。図３は図１の固定装置の部分斜視図である。図４は図３の固定装置および碗形弾性プラスチック体を組合せた斜視図である。
図５は図４の固定装置および碗形弾性プラスチック体を組合せた構造を示す断面図である。図６は本考案の固定装置のもう一つの実施形態の構造を示す斜視図である。
図７は図６の固定装置および碗形弾性プラスチック体を組合せた斜視図である。図８は図７の固定装置および碗形弾性プラスチック体を組合せた構造の斜視図である。図９は本考案の固定装置のもう一つの実施形態の構造斜視図である。図１０は図９の固定装置および碗形弾性プラスチック体を組合わせた斜視図である。
図１１は図１０の固定装置および碗形弾性プラスチック体を組合せた構造を示す断面図である。図１２は本考案の固定装置のもう一つの実施例の構造を示す斜視図である。図１３は図１２の固定装置および碗形弾性プラスチック体を組合せた構造を示す断面図である。
【００１９】
それらの図が示すように、本考案のコンピュータ用キーボードは金属板ベース１、薄膜スイッチ回路板２、数個の平衡機構３、数個のキーハット４および数個の碗形弾性プラスチック体５を含み、その構造と上述したキーボードとは同じであるため、ここでは説明を省く。本考案では主に碗形弾性プラスチック体５に異なる構造である固定装置７を提供する。
【００２０】
上述した固定装置とは薄膜スイッチ回路板上に設けられた定位薄板７を指し、定位薄板７は薄膜スイッチ回路板２の各薄膜スイッチ２１に対応した位置にあり、それぞれは設置孔７１を有して、設置孔の辺縁には上向きに突出した囲壁７２が設けられ、囲壁は不連続で少なくとも一つの切り欠き７３が設けられてもよく、その切り欠きには内向きに突伸びた突板７４がある。
【００２１】
定位薄板７に設けられた数個の定位孔７５は同様に、定位薄板７を薄膜スイッチ回路板２上へ正確に定位させて、定位薄板７の各設置孔７１を薄膜スイッチ回路板２の各薄膜スイッチ２１に合わせる。
【００２２】
上述のキーボードに装着する時の各碗形弾性プラスチック体５の位置固定は、各碗形弾性プラスチック体を定位薄板７の各設置孔７１に設置するだけでよく、設置孔７１は辺縁の囲壁７２が碗形弾性プラスチック体５を捉えて固定する位置となる。
そして、碗形弾性プラスチック体５を設置孔７１から脱落しないようにすると同時に自然に薄膜スイッチ２１の中心に合うようにするため、その組立は非常に簡便となる。特に、各碗形弾性プラスチック体５は定位薄板７の設置孔７１の囲壁７２によりその位置が固定されるが、互いに連帯関係とならずに各自が独立しているため、その碗形弾性プラスチック体の間で不利な要因とならずに互いに影響も与えない。
つまり、ある碗形弾性プラスチック体５が損壊したとしても、その他の各碗形弾性プラスチック体が使用できなくなるということはない。そのため製造当時或いは後日使用する段階で、そのうちの一つ或いは数個の碗形弾性プラスチック体５が損壊したとしても、損壊した碗形弾性プラスチックを良好な碗形弾性プラスチック体５に交換するだけでよく、損壊していないその他の正常な碗形弾性プラスチック体を交換する必要はない。そのため、大量の材料と製造コストを節約することができ、効率的に商品の歩止まり率を高めることができる。
【００２３】
図３および図５の一実施形態が示すように、上述した定位薄板７の設置孔７１の囲壁７２の切り欠き７３には、孔内に向かって突伸する突板７４を設ける。キーボードの装着が完了した後、キーハット４は碗形弾性プラスチック体５を押えて、定位薄板７の設置孔７１及びその囲壁７２により碗形弾性プラスチック体５の外側を固定することができるほか、碗形弾性プラスチック体５の底縁も定位薄板の突板７４を同時に押えて、碗形弾性プラスチック体５および定位薄板７が互いに固定される良好な効果を得ることができる。
【００２４】
また図６から図８が示す固定装置（定位薄板７）の実施形態は、定位薄板の囲壁７２に切り欠き７３は設置されているが、突板７４は設置されていない状態である。図９から図１１が示す固定装置（定位薄板７）の実施形態は、定位薄板の囲壁７２が連続一体に形成された状態であり、それには上述の切り欠き及び突板が設けられていない。
それらの定位薄板の実施形態には突板７４が設けられていないが、その囲壁７２の内側で囲まれた設置孔７１により直接に碗形弾性プラスチック体５を設置する機能を提供するとともに、各碗形弾性プラスチック体はそれぞれが独立して、囲壁７２が各碗形弾性プラスチック体５の位置を限定して固定する機能を有する。連続した完全な囲壁７２と較べた場合、上述した切り欠き７３を有する囲壁７２は製作および成形が簡単である。
【００２５】
図１２および図１３が示すのは本考案の固定装置（定位薄板７）の実施形態であり、それは定位薄板７の囲壁７２の頂部へ内向きに突設された少なくとも一つの突出部を有し、それら突出部は軟性の碗形弾性プラスチック体５を囲壁７２の内側で囲む設置孔７１へ入れられるようにして、効果的に碗形弾性プラスチック体５が設置孔７１の頂部から脱落することを防ぎ、組立ての際に碗形弾性プラスチック体５が設置孔７１より脱落することを防ぐ。
【００２６】
本考案では好ましい実施例を上述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、特許請求の範囲で指定した内容を基準とする。
【００２７】
【考案の効果】
上述した本考案の好適な実施形態から分かるように、本考案のコンピュータ用キーボード碗形弾性プラスチック体の固定装置は定位薄板を提供して、その定位薄板の設置孔辺縁に設けられた囲壁は、そこに設置された碗形弾性プラスチック体の位置を固定し、碗形弾性プラスチック体は脱落せずに各碗形弾性プラスチック体の間に不利な連続体の影響も発生しない。そしてその構造は単純であるだけでなく、その組立及び交換も非常に簡便であり、不良率と製造コストを下げることができる。
【図面の簡単な説明】
【図１】本考案の一実施例によるコンピュータ用キーボード碗形弾性プラスチック体の固定装置およびその関連構造の分解図である。
【図２】図１の固定装置の構造を示す斜視図である。
【図３】図１の固定装置の一部構造を示す斜視図である。
【図４】図３の固定装置および碗形弾性プラスチック体の組合わせを示す斜視図である。
【図５】図４の固定装置および碗形弾性プラスチック体の組合構造を示す断面図である。
【図６】本考案の固定装置のもう一つの実施例の構造を示す斜視図である。
【図７】図６の固定装置および碗形弾性プラスチック体の組合わせを示す斜視図である。
【図８】図７の固定装置および碗形弾性プラスチック体の組合構造を示す断面図である。
【図９】本考案のもう一つの実施例による固定装置の構造を示す斜視図である。
【図１０】図９の固定装置および碗形弾性プラスチック体の組合わせを示す斜視図である。
【図１１】図１０の固定装置および碗形弾性プラスチック体の組合構造を示す断面図である。
【図１２】本考案の固定装置のもう一つの実施例による構造を示す斜視図である。
【図１３】図１２の固定装置および碗形弾性プラスチック体の組合構造を示す断面図である。
【図１４】一般のコンピュータ用キーボードの斜視図である。
【図１５】図１４のコンピュータ用キーボード中の一キイの分解図であり、従来の碗形弾性プラスチック体集合板の構造を示す。
【図１６】図１５のキイを半分組み立てた時の斜視図である。
【図１７】図１５のキイが組立終了した時の斜視図である。
【図１８】従来技術によるコンピュータ用キーボードの碗形弾性プラスチック体集合板の構造を示す斜視図である。
【図１９】従来技術による図１８の碗形弾性プラスチック体集合板の一実施例の部分断面図である。
【図２０】従来技術による図１８の碗形弾性プラスチック体集合板のもう一つの一実施例の部分断面図である。
【符号の説明】
Ａ　碗形弾性プラスチック体集合板
１　金属板ベース
１１　下枢座
１２　下部活動溝
２　薄膜スイッチ回路板
２１　薄膜スイッチ
２２　接続回路
３　平衡機構
３１　下部枢軸
３２　下部活動軸
３３　上部枢軸
３４　上部活動軸
４　キーハット
４１　上部枢座
４２　上部活動溝
５　碗形弾性プラスチック体
５１　中心柱
５２　底部
６　平板
６１　定位孔
６２　穿孔
６３　接着剤
７　固定装置（定位薄板）
７１　設置孔
７２　囲壁
７３　切り欠き
７４　突板
７５　定位孔
７６　突出部
【図１】
0003099586.tif 000003
【図２】
0003099586.tif 000004
【図３】
0003099586.tif 000005
【図４】
0003099586.tif 000006
【図５】
0003099586.tif 000007
【図６】
0003099586.tif 000008
【図７】
0003099586.tif 000009
【図８】
0003099586.tif 000010
【図９】
0003099586.tif 000011
【図１０】
0003099586.tif 000012
【図１１】
0003099586.tif 000013
【図１２】
0003099586.tif 000014
【図１３】
0003099586.tif 000015
【図１４】
0003099586.tif 000016
【図１５】
0003099586.tif 000017
【図１６】
0003099586.tif 000018
【図１７】
0003099586.tif 000019
【図１８】
0003099586.tif 000020
【図１９】
0003099586.tif 000021
【図２０】
0003099586.tif 000022